(57)【特許請求の範囲】
【請求項１】
撮像対象を撮像する撮像手段と、
異なる位置に配置され、前記撮像手段が撮像する撮像対象を照らす第１の照明手段、および第２の照明手段と、
前記第１の照明手段を点灯させ、且つ第２の照明手段を消灯させた状態で、前記撮像手段により撮像対象を撮像したときの第１の撮像画像、および前記第１の照明手段を消灯させ、且つ第２の照明手段を点灯させた状態で、前記撮像手段により撮像対象を撮像したときの第２の撮像画像の２枚の撮像画像における影のできた場所の変化から、第１、および第２の撮像画像の撮像対象が生体であったかどうかを判別する制御手段と、を備え、
前記第１の照明手段は、前記撮像手段により撮像される撮像対象を右側から照らす位置に配置し、
前記第２の照明手段は、前記撮像手段により撮像される撮像対象を左側から照らす位置に配置し、
前記制御手段は、前記第１、および第２の照明手段を両方点灯させた状態で、前記撮像手段により撮像対象を撮像した第３の撮像画像を用いて、撮像対象である人物を認証する認証機能を有し、
当該認証機能は、前記第１の撮像画像、または第２の撮像画像の一方の撮像画像の撮像後に撮像され、且つ他方の撮像画像の撮像前に撮像された前記第３の撮像画像を用いて、撮像対象である人物を認証する個人認証装置。
【請求項２】
撮像対象を撮像する撮像手段と、
異なる位置に配置され、前記撮像手段が撮像する撮像対象を照らす第１の照明手段、および第２の照明手段と、
前記第１の照明手段を点灯させ、且つ第２の照明手段を消灯させた状態で、前記撮像手段により撮像対象を撮像したときの第１の撮像画像、および前記第１の照明手段を消灯させ、且つ第２の照明手段を点灯させた状態で、前記撮像手段により撮像対象を撮像したときの第２の撮像画像の２枚の撮像画像における影のできた場所の変化から、第１、および第２の撮像画像の撮像対象が生体であったかどうかを判別する制御手段と、を備え、
前記第１の照明手段は、前記撮像手段により撮像される撮像対象を右側から照らす位置に配置し、
前記第２の照明手段は、前記撮像手段により撮像される撮像対象を左側から照らす位置に配置し、
さらに、撮像対象を正面から照らす位置に配置した第３の照明手段を備え、
前記制御手段は、前記第１、および第２の照明手段を両方消灯させ、前記第３の照明手段を点灯させた状態で、前記撮像手段により撮像対象を撮像した第３の撮像画像を用いて、撮像対象である人物を認証する認証機能を有し、
当該認証機能は、前記第１の撮像画像、または第２の撮像画像の一方の撮像画像の撮像後に撮像され、且つ他方の撮像画像の撮像前に撮像された前記第３の撮像画像を用いて、撮像対象である人物を認証する個人認証装置。
【発明の詳細な説明】
【０００１】
【発明の属する技術分野】
この発明は、ＣＣＤカメラ等の撮像装置で撮像した撮像対象が、生体であったか、または写真や印刷物等の非生体であったか、を判別するとともに、撮像対象が生体であった場合に撮像対象である人物を認証する個人認証装置に関する。
【０００２】
【従来の技術】
従来、部屋への入室者を制限する入室管理システムに、入室を希望する者（以下、認証対象者と言う。）の顔をＣＣＤカメラ（以下、単にカメラと言う）等の撮像装置で撮像し、ここで撮像した顔画像を用いて、認証対象者が部屋への入室を許可されている登録者であるかどうかを判定する個人認証装置を適用したものがあった。
【０００３】
従来の個人認証装置は、登録者毎に登録時に撮像した顔画像から抽出した目、鼻、口等の生体の特徴部のデータ（以下、特徴量データと言う。）をデータベースに登録している。認証対象者が登録者であるかどうかの認証は、以下のようにして行っていた。
【０００４】
▲１▼認証対象者の顔をカメラ等の撮像装置で撮像し、
▲２▼ここで撮像した認証対象者の顔画像から目、鼻、口等の生体の特徴部を抽出し、
▲３▼データベースに特徴量データが登録されている登録者毎に、上記▲２▼で抽出した特徴部との類似度を算出し、
▲４▼上記▲３▼で算出された類似度の最大値が、予め定められている閾値以上であれば登録者であると判定し、反対に閾値未満であれば登録者でないと判定する。
【０００５】
入室管理システムは、上記個人認証装置が認証対象者を登録者であると判定すると、認証対象者が部屋へ入室するのを許可する。反対に、上記個人認証装置が認証対象者を登録者でないと判定すると、認証対象者が部屋へ入室するのを禁止する。
【０００６】
また、上記▲３▼では登録者毎に認証対象者の特徴部との類似度を算出するとしたが、各登録者に識別番号を付与しておき、認証対象者に識別番号を入力させ、入力された識別番号の登録者についてのみ認証対象者の特徴部との類似度を算出する方式を採用した個人認証装置もある。例えば、登録者毎に識別番号を記録したＩＤカードを発行しておき、該ＩＤカードを取り込んで、記録されている識別番号を読み取る。ここで読み取った識別番号に対応する登録者の特徴量データと、今回撮像した認証対象者の特徴部との類似度を算出し、ここで算出した類似度から認証対象者が登録者であるかどうかを判定する。
【０００７】
【発明が解決しようとする課題】
しかしながら、上記従来の個人認証装置は撮像装置の撮像対象が認証対象者本人（生体）であったのか、認証対象者の顔写真や顔を印刷した印刷物等の非生体であったのかを判別することができなかった。このため、従来の個人認証装置は、登録者の顔写真や顔を印刷した印刷物が撮像対象として使用されても、撮像対象を生体として処理するので登録者の顔写真や顔の印刷物を使用した不正行為に対するセキュリティがよくないという問題があった。
【０００８】
また、最近、金融機関では他人のキャッシュカードを使用した不正取引を防止するために、ＡＴＭやＣＤ等の取引装置への上記個人認証装置の適用を検討しており、上述の不正行為に対するセキュリティの向上が要望されている。
【００１０】
この発明の目的は、撮像対象に顔写真や顔の印刷物を使用した不正行為に対するセキュリティを向上させた個人認証装置を提供することにある。
【００１１】
【課題を解決するための手段】
この発明の個人認証装置は、上記課題を解決するために以下の構成を備えている。
【００１２】
撮像対象を撮像する撮像手段と、
異なる位置に配置され、前記撮像手段が撮像する撮像対象を照らす第１の照明手段、および第２の照明手段と、
前記第１の照明手段を点灯させ、且つ第２の照明手段を消灯させた状態で、前記撮像手段により撮像対象を撮像したときの第１の撮像画像、および前記第１の照明手段を消灯させ、且つ第２の照明手段を点灯させた状態で、前記撮像手段により撮像対象を撮像したときの第２の撮像画像の２枚の撮像画像における影のできた場所の変化から、第１、および第２の撮像画像の撮像対象が生体であったかどうかを判別する制御手段と、を備え、
前記第１の照明手段は、前記撮像手段により撮像される撮像対象を右側から照らす位置に配置し、
前記第２の照明手段は、前記撮像手段により撮像される撮像対象を左側から照らす位置に配置し、
前記制御手段は、前記第１、および第２の照明手段を両方点灯させた状態で、前記撮像手段により撮像対象を撮像した第３の撮像画像を用いて、撮像対象である人物を認証する認証機能を有し、
当該認証機能は、前記第１の撮像画像、または第２の撮像画像の一方の撮像画像の撮像後に撮像され、且つ他方の撮像画像の撮像前に撮像された前記第３の撮像画像を用いて、撮像対象である人物を認証する。
【００１３】
この構成では、撮像対象を右側から照射する位置に配置した第１の照明手段、および撮像対象を右側から照射する位置に配置した第２の照明手段の一方を点灯させ、他方を消灯させた状態で撮像した第１、および第２の撮像画像における影のできた場所の変化から、これらの撮像画像における撮像対象が生体であるか、写真や印刷物等の非生体であるかを判別する。
【００１４】
第１、および第２の撮像画像の撮像対象が人間（生体）であった場合、人間の顔には凹凸があるので、これら２つの撮像画像を比較すると、照明の違いにより異なる位置に影が生じている。一方、第１、および第２の撮像画像の撮像対象が写真や印刷物（非生体）であった場合、表面に凹凸がないので、影のできる場所が殆ど変化しない。したがって、第１および第２の撮像画像における影のできた場所の変化から、撮像対象が生体であったのか、非生体であったのかを判別することができる。
【００１７】
具体的にいうと、撮像対象が生体である場合、撮像対象を右側から照らした撮像画像では左側に影ができ、反対に撮像対象を左側から照らした撮像画像では右側に影ができる。一方、撮像対象が写真や印刷物等の非生体である場合、撮像対象を右側から照らした撮像画像と、左側から照らした撮像画像と、は影の生じかたに殆ど差があらわれない。
【００２１】
また、前記第１、および第２の照明手段の両方で撮像対象を照らした状態で撮像した第３の撮像画像を用いて、認証処理を行う。第３の撮像画像は、照明により生じる影を抑えた撮像画像であるので、認証精度の低下の防止が図れる。
また、撮像対象を正面から照らす第３の照明手段を設け、該第３の照明手段により撮像対象を正面から照らした状態で撮像した撮像画像を上述した第３の撮像画像としてもよい。この場合も、同様に、照明により生じる影を抑えた撮像画像であるので、認証精度の低下の防止が図れる。
【００２２】
さらに、認証処理で用いる第３の撮像画像を２番目に撮像し、この第３の撮像画像の前後に第１の撮像画像、および第２の撮像画像を撮像しているので、例えば、第３の撮像画像の撮像時に登録者の顔写真や顔の印刷物を撮像対象にし、第１の撮像画像、および第２の撮像画像については認証処理に用いられないことから、不正行為を行う者が自分の顔、やマネキン等を撮像対象にしようとしても、第３の撮像画像を２番目に撮像することで、上記不正を行う者は撮像対象を２回入れ替えることになる。このため、撮像対象が途中で入れ替わったかどうかの検出精度が向上でき、その結果セキュリティの向上が図れる。
【００２３】
【発明の実施の形態】
図１は、この発明の実施形態である個人認証装置を適用した入室管理システムの構成を示す図である。この入室管理システムは、室内への入室を希望する者（以下、認証対象者と言う。）が、室内への入室を許可されている登録者であるかどうかを判定する個人認証装置１と、個人認証装置１における認証結果に基づいてドア３の施錠／開錠を制御する入室制御装置２と、を備えている。個人認証装置１と入室管理装置２とは、データ通信ラインで接続されている。
【００２４】
なお、個人認証装置１と、入室制御装置２とは一体型の装置で構成してもよい。
【００２５】
図２はこの実施形態の個人認証装置の構成を示すブロック図であり、図３はこの実施形態の個人認証装置の設置例を示す図である。個人認証装置１は、本体の動作を制御する制御部１１と、入力操作を行うキーが配置された操作部１２と、認証対象者を撮像する撮像部１３と、認証対象者に対するメッセージ等を表示する表示部１４と、登録者毎に撮像した顔画像から抽出した目、鼻、口等、生体の特徴部のデータ（以下、特徴量データと言う。）を記憶した登録者データベース１５とを備えている。撮影部１３には、認証対象者を撮像するカメラ２１と、撮像時に認証対象者を照らす３つの照明２２、２３、２４と、これらの照明２２〜２４の点灯／消灯を個々に制御する照明制御部２５と、を備えている。
【００２６】
図４は、カメラと３つの照明との位置関係を示す図である。照明２２は、カメラ２１で撮像される認証対象者を右側から照らす位置に配置されている。照明２３は、カメラ２１で撮像される認証対象者を正面から照らす位置に配置されている。照明２４は、カメラ２１で撮像される認証対象者を左側から照らす位置に配置されている。照明２２、２４はカメラ２１の撮像レンズの中心から適当な距離ａだけ離して配置している。この距離ａは、カメラ２１の撮像レンズから認証対象者までの距離の略１／５である。照明２３はカメラ２１の撮像レンズの略中心に配置されている。
【００２７】
制御部１１には、照明２２を点灯させ、照明２３、２４を消灯させた状態でカメラ２１が撮像した撮像画像（以下、右方向照明画像と言う。）を記憶する記憶領域、照明２３を点灯させ、照明２２、２４を消灯させた状態でカメラ２１が撮像した撮像画像（以下、中央方向照明画像と言う。）を記憶する記憶領域、および照明２４を点灯させ、照明２２、２３を消灯させた状態でカメラ２１が撮像した撮像画像（以下、左方向照明画像と言う。）を記憶する記憶領域を有するメモリが設けられている。制御部１１は、照明制御部２５に対して各照明２２〜２４の点灯／消灯を指示する。照明制御部２５は、制御部１１からの指示にしたがって各照明２２〜２４の点灯／消灯を制御するとともに、各照明２２〜２４の点灯／消灯状態を制御部１１に通知する。
【００２８】
次に、この実施形態の個人認証装置１の動作について説明する。図５は、この実施形態の個人認証装置の動作を示すフローチャートである。個人認証装置１は、操作部１２に設けられている照合ボタンが押下されると（ｓ１）、照明制御部２５に対して照明２２の点灯、および照明２３、２４の消灯を指示する（ｓ２）。照明制御部２５は、制御部２からの指示にしたがって、照明２２を点灯させ、照明２３、２４を消灯する。制御部１１は、このときカメラ２１が撮像している撮像画像を右方向照明画像として取り込む（ｓ３）。このとき、制御部１１は照明制御部２５から通知されている各照明２２〜２４の状態が、ｓ２で指示した状態であることを確認し、カメラ２１が撮像している撮像画像を右方向照明画像として取り込んでいる。
【００２９】
制御部１１は、ｓ３で右方向照明画像の取り込みを完了すると、照明制御部２５に対して照明２３の点灯、および照明２２、２４の消灯を指示する（ｓ４）。照明制御部２５は、制御部２からの指示にしたがって、照明２３を点灯させ、照明２２、２４を消灯する。制御部１１は、このときカメラ２１が撮像している撮像画像を中央方向照明画像として取り込む（ｓ５）。このときも、制御部１１は照明制御部２５から通知されている各照明２２〜２４の状態が、ｓ４で指示した状態であることを確認し、カメラ２１が撮像している撮像画像を中央方向照明画像として取り込んでいる。
【００３０】
さらに、制御部１１はｓ５で中央方向照明画像の取り込みを完了すると、照明制御部２５に対して照明２４の点灯、および照明２２、２３の消灯を指示する（ｓ６）。照明制御部２５は、制御部２からの指示にしたがって、照明２４を点灯させ、照明２２、２３を消灯する。制御部１１は、このときカメラ２１が撮像している撮像画像を左方向照明画像として取り込む（ｓ７）。このときも、制御部１１は照明制御部２５から通知されている各照明２２〜２４の状態が、ｓ６で指示した状態であることを確認し、カメラ２１が撮像している撮像画像を左方向照明画像として取り込んでいる。
【００３１】
ｓ３、ｓ５、ｓ７で取り込んだ右方向照明画像、中央方向照明画像、および左方向照明画像は、制御部１１に設けられているメモリの所定の記憶エリアに記憶される。
【００３２】
上記ｓ２〜ｓ７の処理にかかる時間は、数秒程度であり、連続的に右方向照明画像、中央方向照明画像、および左方向照明画像を取り込むことで、カメラ２１の撮像対象が途中で入れ替わるのを防止している。
【００３３】
なお、右方向照明画像、中央方向照明画像、および左方向照明画像を取り込む順番については、上記順番でなくてもよいが、後述する認証処理で用いる中央方向照明画像を２番目に撮像し、中央方向照明画像の前後に生体判別処理で用いる右方向照明画像、および左方向照明画像を撮像するのが好ましい。その理由は、中央方向照明画像の撮像時に登録者の顔写真や顔の印刷物を撮像対象にし、右方向照明画像、および左方向照明画像については認証処理に用いられないことから、不正行為を行う者が自分の顔、やマネキン等を撮像対象にすることが考えられる。ここで中央方向照明画像を２番目に撮像すれば、上記不正を行う者は撮像対象を２回入れ替えなければならず、カメラ２１の撮像対象が途中で入れ替わったかどうかを一層確実に検出できるからである。
【００３４】
制御部１１は、右方向照明画像、中央方向照明画像、および左方向照明画像を取り込むと、カメラ２１が撮像した撮像画像の撮像対象が人間（生体）であるか、写真や印刷物（非生体）であるかを判別する生体判別処理を行う（ｓ８）。
【００３５】
図６は、このｓ８にかかる生体判別処理を示すフローチャートである。この処理では、上記ｓ３、およびｓ７で取り込んだ右方向照明画像、および左方向照明画像を用いる。制御部１１は、ｓ３で取り込んだ右方向照明画像を処理し、鼻右領域の平均輝度ＲＡ、および鼻左領域の平均輝度ＬＡを算出する（ｓ２１、ｓ２２）。
【００３６】
図７に鼻右領域と、鼻左領域を示す。これらの領域は、撮像画像における認証対象者の目と鼻を検出することにより特定される。具体的には、上下方向が目の下と鼻の下との間であり、左右方向が鼻側部と目の中心から下ろした垂線との間である。図８（Ａ）に示すように、右方向照明画像においては撮像対象が生体（人間）である場合、鼻右領域は照明２２に照らされ明るく、鼻左領域は鼻の影ができ暗い。一方、撮像対象が非生体（写真や印刷物）である場合、鼻左領域に影ができないので、鼻右領域と鼻左領域とに照明による明暗の差があらわれない。
【００３７】
制御部１１は、鼻右領域の平均輝度ＲＡと、鼻左領域の平均輝度ＬＡと、の差分が予め定められている閾値Ｔｈよりも大きいかどうかを判定する（ｓ２３）。ｓ２３では、
ＲＡ−ＬＡ＞Ｔｈ
という条件を満足するかどうかを判定する。
【００３８】
制御部１１は、ｓ２３で上記条件を満足しないと判別すると、ｓ２８に進んで撮像対象が生体ではなく、写真や印刷物であると判別する。反対に、ｓ２３で上記条件を満足していると判定すると、すぐに撮像対象が生体であると判別するのではなく、ｓ７で取り込んだ左方向照明画像を処理し、鼻右領域の平均輝度ＲＢ、および鼻左領域の平均輝度ＬＢを算出する（ｓ２４、ｓ２５）。図８（Ｂ）に示すように、左方向照明画像においては撮像対象が生体（人間）である場合、鼻左領域は照明２４に照らされ明るく、鼻右領域は鼻の影ができ暗い。一方、撮像対象が非生体（写真や印刷物）である場合、鼻右領域に影ができないので、鼻右領域と鼻左領域とに照明による明暗の差があらわれない。
【００３９】
制御部１１は、鼻右領域の平均輝度ＲＢと、鼻左領域の平均輝度ＬＢと、の差分が予め定められている閾値Ｔｈよりも大きいかどうかを判定する（ｓ２６）。ｓ２６で用いる閾値Ｔｈは、上記ｓ２３で用いた閾値Ｔｈと同じである。
【００４０】
ｓ２６では、
ＬＢ−ＲＡ＞Ｔｈ
という条件を満足するかどうかを判定する。
【００４１】
制御部１１は、ｓ２６で上記条件を満足しないと判別すると、ｓ２８に進んで撮像対象が生体ではなく、写真や印刷物であると判別する。反対に、ｓ２６で上記条件を満足していると判定すると、ｓ２７で撮像対象が生体であると判別し、本処理を終了する。
【００４２】
このように、この実施形態の個人認証装置１は、人間（生体）の顔には凹凸があり、写真や印刷物の表面には凹凸が無く平坦であるという違いを利用し、照明の方向を換えて撮像した２枚の撮像画像において、影ができた場所が変化したかどうかにより、撮像対象が生体であるかどうかを判別する。したがって、簡単な構成の追加により、撮像対象が生体であるかどうかを判別することができ、本体のコストアップも十分に抑えられる。
【００４３】
また、右方向照明画像、および左方向照明画像の２つの撮像画像を使用して、撮像対象が生体であったかどうかを判別する構成を採用したので、例えば鼻右領域が明るく、鼻左領域が暗い写真が撮像対象に使用された場合、ｓ２３の判定で撮像対象が非生体であると判別されなくても、ｓ２６の判定で撮像対象が非生体であると判別される。したがって、撮像対象に使用された写真や印刷物の明暗の分布がどのような分布であっても、この分布の影響を受けることなく、撮像対象が生体であったかどうかを精度良く判別することができる。
【００４４】
図５に戻って、制御部１１は、上記ｓ８にかかる上記生体判別処理において、撮像対象が生体でないと判別した場合、エラー処理を行って本処理を終了する（ｓ９、ｓ１１）。この場合、個人認証装置１は入室制御装置２に対してドア３の開錠を指示しない。したがって、写真や印刷物を使用して、不正に部屋に入室しようとした者が入室するのを阻止でき、セキュリティの向上が図れる。
【００４５】
反対に、制御部１１は撮像対象が生体であると判別した場合、認証処理を行って本処理を終了する（ｓ９、ｓ１０）。
【００４６】
図９は、ｓ１０にかかる認証処理を示すフローチャートである。この、認証処理ではｓ５で取得した中央方向照明画像を用いる。制御部１１は、中央方向照明画像を処理して、認証対象者の目、鼻、口等の特徴部を検出し（ｓ３１）、ここで検出した特徴部を抽出し（ｓ３２）、ｓ３２で抽出した特徴部の特徴量を算出する（ｓ３３）。上記ｓ３１〜ｓ３３では、予め設定されている特徴部の特徴量のみ算出する。また、ｓ３３で特徴量が算出される特徴部については、登録者毎に特徴量データがデータベース１５に登録されている。
【００４７】
個人認証装置１は、ｓ３３で算出した特徴量と、データベース１５に登録されている各登録者の特徴量データと、の類似度を算出する（ｓ３４）。個人認証装置１は、ｓ３４で算出した類似度の最大値が予め定められている閾値を超えていれば、認証対象者を登録者であると判定し、表示部１４に「ＯＫ」を表示するとともに（ｓ３５、ｓ３６）、入室制御装置２に対してドア３の開錠を指示する（ｓ３７）。反対に、ｓ３４で算出した類似度の最大値が予め定められている閾値を超えていなければ、認証対象者を登録者でないと判定し、表示部１４に「ＮＧ」を表示する（ｓ３５、ｓ３８）。この場合、個人認証装置１は入室制御装置２に対してドア３の開錠を指示しない。
【００４８】
このように、この実施形態の個人認証装置１は、右方向照明画像、および左方向照明画像を利用して、撮像対象が生体であったかどうかを判別し、生体でなければエラー処理を行うので、写真や印刷物を使用した不正行為に対するセキュリティの向上が図れる。
【００４９】
また、上記実施形態では、鼻右領域と鼻左領域との輝度差から、撮像対象が生体であるかどうかを判別するとしたが、図１０に示すように頬右領域と頬左領域との輝度差から、撮像対象が生体であるかどうかを判別するようにしてもよい。頬右領域は、鼻右領域と同様に照明が右方向からである場合に明るく、左方向からである場合に影ができて暗くなる。反対に、頬左領域は鼻左領域と同様に照明が左方向からである場合に明るく、右方向からである場合に影ができて暗くなる。したがって、上記実施形態における鼻右領域と鼻左領域を、頬右領域と頬左領域に置き換えても同様の効果が得られる。
【００５０】
なお、頬右領域と頬左領域は、図１０に示すように目の中心と口の端とを結ぶ線よりも外側で、目の下から鼻の下までの間の領域である。
【００５１】
また、上記実施形態ではｓ１０にかかる認証処理において、中央方向照明画像を用いるとしたが、中央方向照明画像に換えて照明２２、２４を共に点灯させた状態で撮像した両方向照明画像を用いてもよい。この場合、照明２３が不要になり、装置本体のコストダウンが図れる。
【００５２】
なお、上記実施形態におけるｓ４では照明２２、２４を点灯させ、ｓ５で両方向照明画像を取り込めばよい。
【００５３】
また、照明２３、２４をなくすとともに、照明２２を移動させる移動機構部を設けてもよい。この場合、照明２２を移動させて、右方向照明画像、中央方向照明画像、および左方向照明画像を取得すればよい。
【００５４】
また、上記実施形態では中央方向照明画像のみ用いて、ｓ１０にかかる認証処理を行うとしたが、登録者毎に右方向照明画像、中央方向照明画像、および左方向照明画像を登録時等に撮像し、各撮像画像別に抽出した特徴部の特徴量データを登録者データベース１５に記憶させておき、認証処理に右方向照明画像、左方向照明画像も用いるようにしてもよい。認証処理に照明の方向が異なる複数の撮像画像を用いることで、鼻の高さや目の窪み等の顔面の凹凸も考慮した認証が行え、認証精度を一層向上させることができる。
【００５５】
また、上記実施形態では認証処理において登録者データベース１５に登録されている全登録者との類似度を算出し、ここで算出した類似度の最大値を用いて認証するとしたが、認証対象者に識別番号等を入力させ、ここで入力された識別番号で識別される登録者についてのみ類似度を算出し、ここで算出した類似度を用いて認証するように構成してもよい。
【００５６】
さらに、上記実施形態では操作部１２に設けられている照合ボタンが押下されると、右方向照明画像、中央方向照明画像、及び左方向照明画像を取り込んで、生体判別処理、および認証処理を行うとしたが、人間を検知する赤外線センサ等を設け、該センサで人間を検知したときに、右方向照明画像、中央方向照明画像、及び左方向照明画像を取り込んで、生体判別処理、および認証処理を行うように構成してもよい。
【００５７】
なお、上記実施形態では、この発明にかかる個人認証装置を、部屋への入室を制限する入室管理システムに適用した例を用いて説明したが、金融機関等に設置されているＡＴＭ、ＣＤ等の取引処理装置等、他の種類の装置やシステムにも利用できる。
【００５８】
【発明の効果】
以上のように、この発明によれば、カメラで撮像した撮像画像の撮像対象が、生体であるのか、写真や印刷物等の非生体であるのかを判別することができるので、写真や印刷物を使用した不正行為に対するセキュリティを向上させることができる。
【図面の簡単な説明】
【図１】この発明の実施形態である個人認証装置を適用した入室管理システムを示す図である。
【図２】この発明の実施形態である個人認証装置の構成を示すブロック図である。
【図３】この発明の実施形態である個人認証装置の設置例を示す図である。
【図４】この発明の実施形態である個人認証装置における照明とカメラとの配置関係を示す図である。
【図５】この発明の実施形態である個人認証装置の動作を示すフローチャートである。
【図６】この発明の実施形態である個人認証装置における生体判別処理を示すフローチャートである。
【図７】鼻右領域、鼻左領域を示す図である。
【図８】右方向照明画像、および左方向照明画像における明暗を説明する図である。
【図９】この発明の実施形態である個人認証装置における認証処理を示すフローチャートである。
【図１０】頬右領域、頬左領域を示す図である。
【符号の説明】
１−個人認証装置
１１−制御部
１２−操作部
１３−撮像部
１４−表示部
１５−登録者データベース
２１−カメラ
２２、２３、２４−照明
２５−照明制御部
【図１】
0003829729.tif 000002
【図２】
0003829729.tif 000003
【図３】
0003829729.tif 000004
【図４】
0003829729.tif 000005
【図５】
0003829729.tif 000006
【図６】
0003829729.tif 000007
【図７】
0003829729.tif 000008
【図８】
0003829729.tif 000009
【図９】
0003829729.tif 000010
【図１０】
0003829729.tif 000011